(57)【要約】【課題】  設置作業の容易化とランニングコストの低減とを両立可能で使い勝手の良い調湿システムを提供する。【解決手段】  調湿装置（20）は、回転ロータ（24）と、加熱器（25）と、三方弁（28）とを備える。上記加熱器（25）には、コジェネレーション装置（10）の排ガスが供給される。第１通路（21）を流れる第１空気は、回転ロータ（24）においてその水分が吸着材に吸着される。一方、第２通路（22）を流れる第２空気は、加熱器（25）で排ガスと熱交換して加熱される。加熱された第２空気は、回転ロータ（24）において吸着材から脱離した水分を付与される。三方弁（28）を操作して第１通路（21）を給気ダクト（40）に連通させると、除湿された第１空気が室内へ供給される。また、第２通路（22）を給気ダクト（40）に連通させると、加湿された第２空気が室内へ供給される。【選択図】  図２
2005003349.tif 000002
【特許請求の範囲】
【請求項１】
燃料を供給されて電力と温熱とを出力するコジェネレーション装置（10）と、
取り込んだ空気の湿度を調節した後に該空気を室内へ供給する調湿装置（20）とを備える調湿システムであって、
上記調湿装置（20）は、室外に設置されると共に吸着材を備えて第１の室外空気からの吸湿と第２の室外空気に対する放湿とを行う調湿部（23）と、上記調湿部（23）の吸着材を再生するために上記第２の室外空気をコジェネレーション装置（10）が出力する温熱により加熱して調湿部（23）へ供給する加熱部（25）とを備え、除湿された第１の室外空気又は加湿された第２の室外空気を室内へ導くための給気ダクト（40）のみによって室内に接続されている調湿システム。
【請求項２】
請求項１に記載の調湿システムにおいて、
調湿装置（20）は、調湿部（23）で除湿された第１の室外空気を室内に供給する動作と、該調湿部（23）で加湿された第２の室外空気を室内に供給する動作とを切り換えるための切換機構（28）を備えている調湿システム。
【請求項３】
取り込んだ空気の湿度を調節した後に該空気を室内へ供給する調湿装置（20）を備える調湿システムであって、
上記調湿装置（20）には、室外に設置されると共に吸着材を備えて第１の室外空気からの吸湿と第２の室外空気に対する放湿とを行う調湿部（23）と、上記調湿部（23）の吸着材を再生するために上記第２の室外空気を加熱して調湿部（23）へ供給する加熱部（25）とが設けられ、
上記調湿装置（20）は、除湿された第１の室外空気又は加湿された第２の室外空気を室内へ導くための給気ダクト（40）のみによって室内に接続されると共に、上記調湿部（23）で除湿された第１の室外空気と該調湿部（23）で加湿された第２の室外空気を選択的に上記給気ダクト（40）へ導入するための切換機構（28）を備えている調湿システム。
【請求項４】
請求項１，２又は３に記載の調湿システムにおいて、
調湿装置（20）は、調湿部（23）で除湿された第１の室外空気と加熱部（25）へ送られる第２の室外空気とを熱交換させるための熱交換部（29）を備えている調湿システム。
【請求項５】
請求項１，２，３又は４に記載の調湿システムにおいて、
調湿装置（20）は、調湿部（23）における第１の室外空気からの吸湿量と第２の室外空気に対する放湿量とを調節する調節手段（26）を備えている調湿システム。
【請求項６】
請求項５に記載の調湿システムにおいて、
調湿部（23）は、通過する空気と接触可能に吸着材が担持されて回転駆動される回転ロータ（24）を備え、該回転ロータ（24）の一部分を第１の室外空気と接触させて残りの部分を第２の室外空気と接触させるように構成される一方、
調節手段（26）は、上記回転ロータ（24）の回転速度を変化させて吸湿量と放湿量とを調節するように構成されている調湿システム。
【請求項７】
請求項５に記載の調湿システムにおいて、
調節手段（26）は、上記加熱部（25）における第２の室外空気への加熱量を変化させることにより吸湿量と放湿量とを調節するように構成されている調湿システム。
【請求項８】
請求項１乃至７の何れか１つに記載の調湿システムにおいて、
コジェネレーション装置（10）は、固体電解質型燃料電池（12）を備え、該固体電解質型燃料電池（12）の運転により得られた電力を出力して上記固体電解質型燃料電池（12）からの排熱を温熱として出力するように構成されている調湿システム。
【発明の詳細な説明】
【技術分野】
【０００１】
本発明は、室内の除湿又は加湿を行う調湿システムに関するものである。
【背景技術】
【０００２】
従来より、特許文献１に開示されているように、吸着材を利用して空気の湿度調節を行う調湿装置が知られている。この調湿装置は、取り込んだ室外空気を加湿ユニットで調湿した後に室内へ供給するものである。
【０００３】
具体的に、上記加湿ユニットは、吸着材が担持された回転ロータを備えている。また、加湿ユニットには、吸着材を再生するために回転ロータへ送られる空気を加熱するための電気ヒータが設けられている。水蒸気を含んだ空気を回転ロータに送ると、該空気中の水分が吸着材に吸着される。この除湿された空気は、室外へ排出される。回転ロータが回転すると、水分を吸着した吸着材は、電気ヒータにより加熱された空気と接触する。それに伴い、吸着材が加熱されて再生され、吸着材から脱離した水分が空気に付与される。そして、加湿された空気は、ダクトを通じて室内へ供給される。
【０００４】
また、特許文献２に開示されているように、調湿装置とコジェネレーション装置とを組み合わせて室内の除湿や加湿を行う調湿システムが知られている。上記コジェネレーション装置は、燃料を供給されて電力と温熱とを出力する。このうちの温熱は、吸着材を再生するために回転ロータへ送られる空気を加熱するために用いられる。
【０００５】
上記調湿システムにおいて、調湿装置は、室内へ空気を供給するための吹出ダクトと室内から空気を取り込むための吸入ダクトとによって室内に接続されている。この調湿装置は、取り込んだ室外空気を除湿又は加湿し、調湿した室外空気を吹出ダクトで室内へ送り込む。また、この調湿装置は、取り込んだ室内空気から水分を回収したり、この室内空気を吸着材の再生に利用し、その後に室内空気を吸込ダクトで室外へ送り出す。
【特許文献１】特開２００１−９６１２６号公報
【特許文献２】特開２００１−１９３９６６号公報
【発明の開示】
【発明が解決しようとする課題】
【０００６】
特許文献１に開示された調湿装置において、調湿された空気はダクトを通じて室内へ送られる。つまり、調湿装置と室内とは、１本のダクトによって連通されている。従って、この調湿装置は、１本のダクトを介して室内に接続するだけで設置することができ、設置する際の作業が容易である。ところが、上記調湿装置では、吸着材を再生するための熱源として電気ヒータを用いている。このため、電気ヒータで多くの電力が消費され、調湿装置のランニングコストが嵩むという問題がある。また、当該調湿装置では、加湿した空気を室内へ供給することしか考慮されておらず、室内の除湿が求められる状況には対応できないため充分な快適性が得られないおそれもあった。
【０００７】
一方、特許文献２に開示された調湿システムにおいて、調湿装置では、吸着材を再生するための熱源として、コジェネレーション装置から出力された温熱を利用している。つまり、この調湿装置では、コジェネレーション装置での発電に伴って生じた排熱が吸着材の再生に利用されており、これによって調湿装置のランニングコストを低減している。ところが、この調湿装置は、室外空気を除湿して室内へ供給すると同時に室内からの排気を吸着材の再生に利用する動作や、室内からの排気に含まれる水分を回収して室内へ供給する室外空気を加湿する動作を行う。従って、この調湿装置を室内に接続するには、調湿装置から室内へ空気を導く吹出ダクトと室内から調湿装置へ空気を導く吸入ダクトとが必要となる。このため、この調湿装置については、設置する際の作業が煩雑化するという問題がある。
【０００８】
このように、従来の調湿システムとしては、設置時の作業性とランニングコストの低減を両立させたものや、設置時の作業性と快適性の確保を両立させたものが存在せず、調湿システムの使い勝手が悪いという問題があった。
【０００９】
本発明は、かかる点に鑑みてなされたものであり、その目的とするところは、使い勝手の良い調湿システムを提供することにある。
【課題を解決するための手段】
【００１０】
第１の発明は、燃料を供給されて電力と温熱とを出力するコジェネレーション装置（10）と、取り込んだ空気の湿度を調節した後に該空気を室内へ供給する調湿装置（20）とを備える調湿システムを対象としている。そして、上記調湿装置（20）が、室外に設置されると共に吸着材を備えて第１の室外空気からの吸湿と第２の室外空気に対する放湿とを行う調湿部（23）と、上記調湿部（23）の吸着材を再生するために上記第２の室外空気をコジェネレーション装置（10）が出力する温熱により加熱して調湿部（23）へ供給する加熱部（25）とを備え、除湿された第１の室外空気又は加湿された第２の室外空気を室内へ導くための給気ダクト（40）のみによって室内に接続されるものである。
【００１１】
第２の発明は、上記第１の発明において、調湿装置（20）が、調湿部（23）で除湿された第１の室外空気を室内に供給する動作と、該調湿部（23）で加湿された第２の室外空気を室内に供給する動作とを切り換えるための切換機構（28）を備えるものである。
【００１２】
第３の発明は、取り込んだ空気の湿度を調節した後に該空気を室内へ供給する調湿装置（20）を備える調湿システムを対象とする。そして、上記調湿装置（20）には、室外に設置されると共に吸着材を備えて第１の室外空気からの吸湿と第２の室外空気に対する放湿とを行う調湿部（23）と、上記調湿部（23）の吸着材を再生するために上記第２の室外空気を加熱して調湿部（23）へ供給する加熱部（25）とが設けられ、上記調湿装置（20）は、除湿された第１の室外空気又は加湿された第２の室外空気を室内へ導くための給気ダクト（40）のみによって室内に接続されると共に、上記調湿部（23）で除湿された第１の室外空気と該調湿部（23）で加湿された第２の室外空気を選択的に上記給気ダクト（40）へ導入するための切換機構（28）を備えるものである。
【００１３】
第４の発明は、上記第１，第２又は第３の発明において、調湿装置（20）が、調湿部（23）で除湿された第１の室外空気と加熱部（25）へ送られる第２の室外空気とを熱交換させるための熱交換部（29）を備えるものである。
【００１４】
第５の発明は、上記第１，第２，第３又は第４の発明において、調湿装置（20）が、調湿部（23）における第１の室外空気からの吸湿量と第２の室外空気に対する放湿量とを調節する調節手段（26）を備えるものである。
【００１５】
第６の発明は、上記第５の発明において、調湿部（23）が、通過する空気と接触可能に吸着材が担持されて回転駆動される回転ロータ（24）を備え、該回転ロータ（24）の一部分を第１の室外空気と接触させて残りの部分を第２の室外空気と接触させるように構成される一方、調節手段（26）が、上記回転ロータ（24）の回転速度を変化させて吸湿量と放湿量とを調節するように構成されるものである。
【００１６】
第７の発明は、上記第５の発明において、調節手段（26）が、上記加熱部（25）における第２の室外空気への加熱量を変化させることにより吸湿量と放湿量とを調節するように構成されるものである。
【００１７】
第８の発明は、上記第１から第７の何れか１つの発明において、コジェネレーション装置（10）が、固体電解質型燃料電池（12）を備え、該固体電解質型燃料電池（12）の運転により得られた電力を出力して上記固体電解質型燃料電池（12）からの排熱を温熱として出力するように構成されるものである。
【００１８】
−作用−
上記第１の発明において、コジェネレーション装置（10）は、供給された燃料に基づいて発電を行うと同時に、その際に生じる熱を温熱として出力する。一方、調湿装置（20）は、第１の室外空気及び第２の室外空気を取り込んで空気の湿度調節を行う。
【００１９】
上記調湿装置（20）において、取り込まれた第１の室外空気は、調湿部（23）に送られて吸着材と接触する。これによって、第１の室外空気に含まれる水分が吸着材に吸着され、第１の室外空気が除湿される。一方、取り込まれた第２の室外空気は、加熱部（25）において加熱された後に調湿部（23）へ供給される。この加熱部（25）では、コジェネレーション装置（10）からの温熱を用いて第２の室外空気を加熱する。加熱部（25）で加熱された第２の室外空気は、調湿部（23）において吸着材と接触する。これにより、吸着材から水分が脱離して吸着材が再生されると同時に、第２の室外空気が加湿される。そして、調湿装置（20）は、調湿部（23）から流出した第１の室外空気又は第２の室外空気を給気ダクト（40）を通じて室内へ供給する。
【００２０】
上記調湿装置（20）は、給気ダクト（40）のみを介して室内に接続されている。つまり、この調湿装置（20）の調湿部（23）は、給気ダクト（40）のみを介して室内と連通しており、調湿部（23）から流出した第１の室外空気又は第２の室外空気が給気ダクト（40）を通って室内へ導かれる。
【００２１】
上記第２の発明では、切換機構（28）を操作することにより、第１の室外空気が室内に供給される状態と第２の室外空気が室内に供給される状態とが切り換わる。調湿部（23）から流出した第１の室外空気を給気ダクト（40）を通じて室内に供給すると、室内が除湿される。一方調湿部（23）から流出した第２空気を給気ダクト（40）を通じて室内に供給すると、室内が加湿される。
【００２２】
上記第３の発明では、調湿システムに調湿装置（20）が設けられる。この調湿装置（20）において、取り込まれた第１の室外空気は、調湿部（23）に送られて吸着材と接触する。これによって、第１の室外空気に含まれる水分が吸着材に吸着され、第１の室外空気が除湿される。一方、取り込まれた第２の室外空気は、加熱部（25）で加熱された後に調湿部（23）へ供給される。調湿部（23）では、加熱部（25）で加熱された第２の室外空気が吸着材と接触する。これにより、吸着材から水分が脱離して吸着材が再生されると同時に、第２の室外空気が加湿される。
【００２３】
この発明において、調湿装置（20）は、給気ダクト（40）のみを介して室内に接続されている。また、調湿装置（20）には、切換機構（28）が設けられる。調湿部（23）で除湿された第１の室外空気を切換機構（28）によって給気ダクト（40）へ導入すると、この第１の室外空気が給気ダクト（40）を通じて室内へ供給されて室内が除湿される。一方、調湿部（23）で加湿された第２の室外空気を切換機構（28）によって給気ダクト（40）へ導入すると、この第２の室外空気が給気ダクト（40）を通じて室内へ供給されて室内が加湿される。
【００２４】
上記第４の発明では、調湿装置（20）に熱交換部（29）が設けられる。この熱交換部（29）には、調湿部（23）で除湿された第１の室外空気と、調湿装置（20）に取り込まれた第２の室外空気とが送り込まれる。ここで、第１の室外空気中の水分が調湿部（23）の吸着材に吸着される際には吸着熱が発生する。つまり、第１の室外空気は、調湿部（23）を通過する間にその温度が上昇する。熱交換部（29）では、調湿部（23）から流出した第１の室外空気と調湿装置（20）に取り込まれて熱交換部（29）へ向かう第２の室外空気が熱交換を行い、第１の室外空気の温度が低下して第２の室外空気の温度が上昇する。
【００２５】
上記第５の発明では、調節手段（26）によって、調湿部（23）の吸着材が第１の室外空気から吸湿する量と第２の室外空気に対して放湿する量とが調節される。つまり、この調節手段（26）の動作により、室内に供給される空気の湿度が調節される。
【００２６】
上記第６の発明では、調湿部（23）の回転ロータ（24）に吸着材が担持されて、その厚さ方向に空気が通過可能となっている。この回転ロータ（24）の一部分に第１の室外空気が接触すると、第１の室外空気中の水分が吸着材に吸着される。回転ロータ（24）の残りの部分には第２の室外空気が接触する。また、回転ロータ（24）は回転しているため、第１の室外空気から除湿した回転ロータ（24）の部分は、やがて第２の室外空気と接触する。この第２の室外空気との接触によって、吸着材から水分が脱離する。
【００２７】
また、調節手段（26）によって、回転ロータ（24）の回転速度が調節される。回転ロータ（24）の一部分に着目すると、この部分が回転ロータ（24）の１回転中に第１の室外空気と接触する時間は、回転ロータ（24）の回転速度が高くなるにつれて短くなる。同様に、この部分が吸着ロータの１回転中に第２の室外空気と接触する時間も、回転ロータ（24）の回転速度が高くなるにつれて短くなる。このため、回転ロータ（24）の回転速度が高くなると、第１の室外空気からの吸湿量及び第２の室外空気に対する放湿量は減少し、回転ロータ（24）の回転速度が低くなると、第１の室外空気からの吸湿量及び第２の室外空気に対する放湿量は増加する。
【００２８】
上記第７の発明では、調節手段（26）によって加熱部（25）における第２の室外空気への加熱量が調節され、第２の室外空気の温度が変化する。第２の室外空気への加熱量を多くすると、調湿部（23）へ流入する第２の室外空気の温度が上昇する。そして、吸着材から脱離する水分量が増し、それに伴って吸着材が第１の室外空気から吸着する水分量も増大する。つまり、第２の室外空気に対する放湿量が増加し、第１の室外空気からの吸湿量が増加する。一方、第２の室外空気への加熱量を少なくすると、調湿部（23）へ流入する第２の室外空気の温度が低下する。そして、吸着材から脱離する水分量が減り、それに伴って吸着材が第１の室外空気から吸着する水分量も減少する。つまり、第２の室外空気に対する放湿量が減少し、第１の室外空気からの吸湿量が減少する。
【００２９】
上記第８の発明では、コジェネレーション装置（10）が備える固体電解質型燃料電池（12）において発電が行われる。固体電解質型燃料電池（12）は、その作動温度が１０００度程度と高温である。従って、この固体電解質型燃料電池（12）からは、非常に高温の排ガスが出力される。この排ガスは、調湿装置（20）の加熱部（25）へ送られ、調湿部（23）へ流入する第２の室外空気を加熱するための温熱として用いられる。
【発明の効果】
【００３０】
本発明の調湿システムでは、調湿装置（20）の吸着材を再生するための温熱として、コジェネレーション装置（10）が出力する温熱を利用している。従って、調湿装置（20）の吸着材を再生するために、新たに電力や燃料を投入する必要がなくなり、調湿システムのランニングコストを削減できる。また、本発明の調湿システムにおいて、調湿装置（20）を設置する際には、それを給気ダクト（40）のみで室内に接続すればよい。従って、調湿装置（20）を設置する際の作業工数を削減できる。このように、本発明によれば、ランニングコストの低減と設置作業の容易性とを両立させた使い勝手の良い調湿システムを提供できる。
【００３１】
上記第２の発明によれば、調湿装置（20）に切換機構（28）を設けることで、除湿された第１の室外空気と加湿された第２の室外空気の何れか一方を室内に供給することができる。従って、この発明によれば、１台の調湿システムを用いて室内の除湿と加湿とを行うことができる。
【００３２】
上記第３の発明によれば、調湿装置（20）に切換機構（28）を設けることで、除湿された第１の室外空気と加湿された第２の室外空気とを選択的に室内へ供給することが可能となる。つまり、この発明の調湿装置（20）によれば、第１の室外空気を供給することによる室内の除湿と、第２の室外空気を供給することによる室内の加湿との両方が可能となり、室内の快適性を確保することができる。また、この発明の調湿システムにおいて、調湿装置（20）を設置する際には、それを給気ダクト（40）のみで室内に接続すればよい。このため、調湿装置（20）を設置する際の作業工数を削減できる。従って、この発明によれば、快適性の確保と設置作業の容易性とを両立させた使い勝手の良い調湿システムを提供できる。
【００３３】
また、上記第５の発明によれば、調節手段（26）によって第１の室外空気からの吸湿量及び第２の室外空気に対する放湿量を変化させており、室内へ供給される第１の室外空気や第２の室外空気の湿度を適切に調節できる。
【００３４】
特に、上記第６の発明によれば、回転ロータ（24）の回転速度を調節することにより、第１の室外空気や第２の室外空気の湿度を確実に増減させることができる。
【００３５】
同様に、上記第７の発明によれば、加熱部（25）における第２の室外空気への加熱量を調節することにより、第１の室外空気や第２の室外空気の湿度を確実に増減させることができる。
【発明を実施するための最良の形態】
【００３６】
以下、本発明の実施形態を図面に基づいて詳細に説明する。
【００３７】
《発明の実施形態１》
本発明の実施形態１について説明する。
【００３８】
図１に示すように、本実施形態の調湿システムは、固体電解質型燃料電池（12）を備えるコジェネレーション装置（10）と調湿装置（20）とにより構成され、住宅（70）の外に設置されている。また、住宅（70）の床下には、床暖房機器（71）が設けられている。
【００３９】
〈コジェネレーション装置の構成〉
図１及び図２に示すように、上記コジェネレーション装置（10）は、改質部（11）と、固体電解質型燃料電池（12）と、貯湯タンク（15）とを備えている。
【００４０】
上記改質部（11）には、燃料である都市ガスが供給される。改質部（11）は、メタン等の炭化水素を改質して水素を主成分とする改質ガスを生成させるように構成されている。改質部（11）で生成された改質ガスは、固体電解質型燃料電池（12）へ送られる。また、固体電解質型燃料電池（12）へは、空気が供給される。そして、固体電解質型燃料電池（12）は、改質ガス中の水素を燃料として空気中の酸素を酸化剤とする電池反応を行い、得られた電力を出力する。
【００４１】
また、上記コジェネレーション装置（10）には、固体電解質型燃料電池（12）の排ガスを排出するための排ガス管（13）が設けられている。この排ガス管（13）は、調湿装置（20）の加熱器（25）に接続している。上記排ガス管（13）には、加熱器（25）へ送り込まれる排ガスの風量を調節するためのダンパ（14）が設けられている。尚、調湿装置（20）の詳細については、後述する。
【００４２】
上記貯湯タンク（15）には、改質部（11）や固体電解質型燃料電池（12）からの排熱により温められた水が蓄えられている。貯湯タンク（15）に蓄えられた温水は、住宅（70）に供給されて給湯等に利用される他、床暖房機器（71）へ送られる。床暖房機器（71）では、温水の温熱を利用して床の暖房が行われる。
【００４３】
〈調湿装置の構成〉
図２に示すように、上記調湿装置（20）のケーシングには、調湿部（23）と、加熱部としての加熱器（25）と、切換機構としての三方弁（28）と、制御装置（26）とが収納されている。また、調湿部（23）は、回転ロータ（24）を備えている。ケーシングの内部には、第１通路（21）と第２通路（22）とが区画形成されている。また、図示しないが、第１通路（21）と第２通路（22）には、ファンが１台ずつ設けられている。このファンを運転すると、第１通路（21）では第１の室外空気としての第１空気が流通し、第２通路（22）では第２の室外空気としての第２空気が流通する。
【００４４】
上記回転ロータ（24）は、円板状に形成されると共にハニカム状に形成されて、厚さ方向に空気が通過可能となっている。回転ロータ（24）の表面には、例えばゼオライト等が吸着材として設けられている。回転ロータ（24）は、第１通路（21）及び第２通路（22）を横断する姿勢で設けられている。回転ロータ（24）のうち、第１通路（21）を横断する部分では吸着材が第１空気と接触し、第２通路（22）を横断する部分では吸着材が第２空気と接触する。また、回転ロータ（24）は、モータ（27）により駆動され、その一部分が第１通路（21）を横断して残りの部分が第２通路（22）を横断する状態で回転する。
【００４５】
上記加熱器（25）は、第２通路（22）における回転ロータ（24）の上流側に設けられている。この加熱器（25）は、第２空気を加熱するためのものであって、コジェネレーション装置（10）の排ガス管（13）に接続されている。この排ガス管（13）には、コジェネレーション装置（10）の固体電解質型燃料電池（12）から排出される高温の排ガスが流される。加熱器（25）は、排ガス管（13）から供給された排ガスと第２空気とを熱交換させるように構成されている。
【００４６】
上記三方弁（28）は、回転ロータ（24）の下流側に設けられている。この三方弁（28）には、第１通路（21）と第２通路（22）とが接続している。また、三方弁（28）には、室内に連通する給気ダクト（40）が接続されている。具体的に、三方弁（28）では、その第１ポートに給気ダクト（40）が、その第２ポートには第１通路（21）が、その第３ポートには第２通路（22）がそれぞれ接続されている。
【００４７】
上記三方弁（28）は、第１のポートと第２のポートが連通する状態と、第１のポートと第３のポートが連通する状態とに切り換わる。三方弁（28）が第１のポートと第２のポートが連通する状態に切り換わると、給気ダクト（40）と第１通路（21）とが連通する。また、三方弁（28）が第１のポートと第３のポートが連通する状態に切り換わると、給気ダクト（40）と第２通路（22）が連通する。そして、切換機構としての三方弁（28）は、第１通路（21）の第１空気と第２通路（22）の第２空気とを選択的に給気ダクト（40）へ送り込む。
【００４８】
上記制御装置（26）は、回転ロータ（24）を回転させるためのモータ（27）の回転速度を制御する。つまり、回転ロータ（24）は、その回転速度が調節可能に構成されている。この回転ロータ（24）の回転速度を調節すると、第１空気からの吸湿量及び第２空気に対する放湿量が変化する。また、制御装置（26）は、コジェネレーション装置（10）の排ガス管（13）に設けられるダンパ（14）の開度を制御する。このダンパ（14）の開度により、加熱器（25）へ送られる排ガスの風量が調節される。この排ガスの風量を調節することにより第２空気の温度が変化し、第１空気からの吸湿量及び第２空気に対する放湿量が増減する。つまり、上記制御装置（26）は、調節手段を構成している。
【００４９】
−運転動作−
上記調湿装置（20）の運転動作について説明する。
【００５０】
先ず、上記調湿装置（20）の加湿動作について、図３を参照しながら説明する。尚、図３は、この装置における加湿動作を空気線図上に表したものである。
【００５１】
加湿動作を行う際には、三方弁（28）が第１のポートが第３のポートに連通する状態（図２に実線で示す状態）に切り換わる。この状態では、第２通路（22）が三方弁（28）を介して給気ダクト（40）に連通する。
【００５２】
調湿装置（20）の第１通路（21）へは、点Ａの状態の室外空気（OA）が第１空気として送り込まれる。点Ａの状態の第１空気は、回転ロータ（24）へ送られる。回転ロータ（24）では、第１空気に含まれる水分が吸着材に吸着される。これによって、第１空気は等エンタルピ線に沿って変化し、その絶対湿度が低下し且つ温度が上昇して点Ｂの状態となる。点Ｂの状態の第１空気は、排出空気（EA）として室外へ排出される。
【００５３】
調湿装置（20）の第２通路（22）へは、点Ａの状態の室外空気（OA）が第２空気として送り込まれる。点Ａの状態の第２空気は、加熱器（25）を通過する間に、排ガス管（13）から供給された排ガスとの熱交換により加熱され、その温度が上昇して点Ｃの状態となる。
【００５４】
点Ｃの状態の第２空気は、回転ロータ（24）へ送られる。回転ロータ（24）では、第２空気が吸着材と接触する。一方、回転ロータ（24）は回転しているため、第１空気中の水分を吸着した回転ロータ（24）の部分は、やがて第２通路（22）側へ移動して第２空気と接触する。この第２空気との接触によって、回転ロータ（24）の吸着材から水分が脱離し、吸着材の再生が行われる。そして、第２空気は、等エンタルピ線に沿って変化し、その絶対湿度が上昇し且つ温度が低下して点Ｄの状態となる。点Ｄの状態の第２空気は、三方弁（28）を通過し、供給空気（SA）として給気ダクト（40）から室内へ送られる。
【００５５】
次に、調湿装置（20）の除湿動作について説明する。この除湿動作では、三方弁（28）が第１のポートが第２のポートに連通する状態（図２に破線で示す状態）に切り換わる。この状態では、第１通路（21）が給気ダクト（40）に連通する。
【００５６】
除湿動作中には、加湿動作中と同様に、調湿部（23）で第１空気の除湿と第２空気の加湿とが行われる。つまり、第１通路（21）を流れる第１空気は、回転ロータ（24）を通過する際に除湿される。除湿された第１空気は、三方弁（28）を通過し、給気ダクト（40）を通って室内へ送られる。一方、第２通路（22）を流れる第２空気は、加熱器（25）で加熱された後に回転ロータ（24）へ送られ、吸着材の再生に利用される。吸着材から脱離した水分を付与された第２空気は、室外へ排出される。
【００５７】
また、上記調湿システムでは、回転ロータ（24）の回転速度を変化させて、室内に供給する空気の湿度を調節する。回転ロータ（24）の回転速度が高いほど、第１空気から吸湿した回転ロータ（24）の部分が第２通路（22）を通過する時間が短くなる。このため、第１空気から吸湿した回転ロータ（24）の部分は、第２空気と充分に接触しないまま第２通路（22）を通過し、回転ロータ（24）はあまり再生されない。また、回転ロータ（24）の回転速度が高いほど、第２空気によって再生された回転ロータ（24）の部分が第１通路（21）を通過する時間が短くなる。このため、第２空気によって再生された回転ロータ（24）の部分は、第１空気と充分に接触しないまま第１通路（21）を通過し、回転ロータ（24）はあまり水分を吸着しない。
【００５８】
つまり、回転ロータ（24）の回転速度が高いほど第１空気からの吸湿量及び第２空気に対する放湿量が減少し、回転ロータ（24）の回転速度が低いほど第１空気からの吸湿量及び第２空気に対する放湿量が増加する。
【００５９】
また、上記調湿システムでは、コジェネレーション装置（10）から加熱器（25）へ供給される温熱の量、即ち第２空気への加熱量を調節して室内に供給する空気の湿度を調節する。第２空気への加熱量を多くすると、回転ロータ（24）へ流入する第２空気の温度が上昇する。そして、吸着材から脱離する水分が増し、第２空気に対する放湿量が増加する。また、第２空気に対して放湿し再生された回転ロータ（24）は、第１通路（21）側へ移動し、第１空気から吸湿する。このため、第２空気に対する放湿量が増加するほど、第１空気からの吸湿量も増加する。
【００６０】
−実施形態１の効果−
本実施形態の調湿システムでは、調湿装置（20）の吸着材を再生するための温熱として、コジェネレーション装置（10）が出力する温熱を利用している。従って、調湿装置（20）の吸着材を再生するために、新たに電力や燃料を投入する必要がなくなり、調湿システムのランニングコストを削減できる。また、本実施形態の調湿システムにおいて、調湿装置（20）を設置する際には、それを給気ダクト（40）のみで室内に接続すればよい。従って、調湿装置（20）を設置する際の作業工数を削減できる。このように、本実施形態によれば、ランニングコストが低く、しかも設置作業の容易な調湿システムを提供できる。
【００６１】
また、本実施形態によれば、調湿装置（20）にの三方弁（28）を設けることで、除湿された第１空気と加湿された第２空気の何れか一方を室内に供給することができる。従って、本実施形態によれば、１台の調湿システムを用いて室内の除湿と加湿とを行うことができる。
【００６２】
また、本実施形態によれば、制御装置（26）によって第１空気からの吸湿量及び第２空気に対する放湿量を変化させており、室内へ供給される第１空気や第２空気の湿度を適切に調節できる。
【００６３】
特に、回転ロータ（24）の回転速度を調節することにより、第１空気や第２空気の湿度を確実に増減させることができる。同様に、加熱器（25）における第２空気への加熱量を調節することにより、第１空気や第２空気の湿度を確実に増減させることができる。
【００６４】
更に、本実施形態によれば、コジェネレーション装置（10）に固体電解質型燃料電池（12）を用いることで、高温の排ガスを温熱として出力することができる。よって、調湿部（23）へ送り込まれる第２空気を高い温度まで加熱することができ、少ない風量でも確実に吸着材を加熱することができる。従って、本実施形態によれば、第２空気の風量が少ない状態でも第１空気からの吸湿量及び第２空気に対する放湿量を確保することがきる。
【００６５】
−実施形態１の変形例−
上記実施形態１の調湿装置（20）に、回転ロータ（24）で除湿された第１空気を冷却するための冷却器を設けるようにしてもよい。この冷却器は、第１通路（21）における回転ロータ（24）の下流側に配置されている。尚、上記冷却器は、除湿動作中にのみ運転され、加湿動作中には停止している。
【００６６】
除湿動作中において、第１通路（21）を流れる第１空気は、回転ロータ（24）でその水分が吸着材に吸着される。この除湿された第１空気は、冷却器へ送られる。冷却器を通過する間に、第１空気は冷却される。冷却された第１空気は、三方弁（28）を通過し、給気ダクト（40）を通って室内へ供給される。つまり、調湿装置（20）に冷却器を設けることにより、除湿された空気に加えて冷却された空気を室内に供給することができる。
【００６７】
また、上記調湿装置（20）には、冷却器に代えて加熱器を設けるようにしてもよい。尚、上記加熱器は、除湿動作中にのみ運転され、加湿動作中には停止している。
【００６８】
除湿動作中において、第１通路（21）を流れる第１空気は、回転ロータ（24）でその水分が吸着材に吸着される。この除湿された第１空気は、加熱器へ送られる。加熱器を通過する間に、第１空気は加熱される。加熱された第１空気は、三方弁（28）を通過し、給気ダクト（40）を通って室内へ供給される。つまり、調湿装置（20）に加熱器を設けることにより、除湿された空気に加えて加熱された空気を室内に供給することができる。
【００６９】
《発明の実施形態２》
本発明の実施形態２について説明する。本実施形態は、上記実施形態１の調湿システムにおいて、調湿装置（20）の構成を変更したものである。ここでは、本実施形態について、上記実施形態１と異なる点を説明する。
【００７０】
図４に示すように、本実施形態における調湿装置（20）は、熱交換部としての顕熱交換器（29）を備えている。この顕熱交換器（29）は、第２通路（22）における加熱器（25）の上流側と第１通路（21）における回転ロータ（24）の下流側とに接続されている。上記顕熱交換器（29）は、第１通路（21）を流れる第１空気と第２通路（22）を流れる第２空気とを熱交換させる。
【００７１】
第２通路（22）における顕熱交換器（29）と加熱器（25）との間には、顕熱交換器（29）を通過した第２空気の一部を排出するためのダクト（31）が設けられている。このダクト（31）から第２空気の一部を排出すると、加熱器（25）に流入する第２空気の量が減少し、加熱器（25）を通過した後の第２空気の温度が上昇する。つまり、回転ロータ（24）へ流入する第２空気の温度が上昇して、第１空気からの吸湿量及び第２空気に対する放湿量が増加する。
【００７２】
−運転動作−
上記調湿装置（20）の運転動作について説明する。
【００７３】
先ず、上記調湿装置（20）の除湿動作について、図５を参照しながら説明する。尚、図５は、この装置における除湿動作を空気線図上に表したものである。
【００７４】
除湿動作を行う際には、三方弁（28）が第１のポートが第２のポートに連通する状態（図４に実線で示す状態）に切り換わる。この状態では、第１通路（21）が三方弁（28）を介して給気ダクト（40）に連通する。
【００７５】
調湿装置（20）の第１通路（21）へは、点Ａの状態の室外空気（OA）が第１空気として送り込まれる。点Ａの状態の第１空気は、回転ロータ（24）へ送られる。回転ロータ（24）では、第１空気に含まれる水分が吸着材に吸着される。これによって、第１空気は、等エンタルピ線に沿って変化し、その絶対湿度が低下し且つ温度が上昇して点Ｂの状態となる。点Ｂの状態の第１空気は、顕熱交換器（29）へ送られる。顕熱交換器（29）では、第１空気が第２空気に対して放熱し、その温度が低下して点Ｃの状態となる。点Ｃの状態の空気は、三方弁（28）を通過し、供給空気（SA）として給気ダクト（40）から室内へ送られる。
【００７６】
調湿装置（20）の第２通路（22）へは、点Ａの状態の室外空気（OA）が第２空気として送り込まれる。点Ａの状態の第２空気は、顕熱交換器（29）へ送られる。顕熱交換器（29）では、第２空気が第１空気から吸熱し、その温度が上昇して点Ｄの状態となる。点Ｄの状態の第２空気は、加熱器（25）へ送られる。加熱器（25）において、第２空気は、排ガス管（13）から供給された排ガスとの熱交換により加熱され、その温度が上昇して点Ｅの状態となる。
【００７７】
点Ｅの状態の第２空気は、回転ロータ（24）へ送られる。回転ロータ（24）では、第２空気が吸着材と接触する。この第２空気との接触によって、回転ロータ（24）の吸着材から水分が脱離し、吸着材の再生が行われる。そして、第２空気は、等エンタルピ線に沿って変化し、その絶対湿度が上昇し且つ温度が低下して点Ｆの状態となる。点Ｆの状態の空気は、排出空気（EA）として室外へ排出される。
【００７８】
次に、調湿装置（20）の加湿動作について説明する。この加湿動作では、三方弁（28）が第１のポートが第３のポートに連通する状態（図４に破線で示す状態）に切り換わる。この状態では、第２通路（22）が三方弁（28）を介して給気ダクト（40）に連通する。
【００７９】
加湿動作中には、除湿動作中と同様に、調湿部（23）で第１空気の除湿と第２空気の加湿とが行われる。つまり、第１通路（21）を流れる第１空気は、回転ロータ（24）を通過する際に除湿される。回転ロータ（24）に水分を奪われた第１空気は、室外へ排出される。一方、第２通路（22）を流れる第２空気は、加熱器（25）で加熱された後に回転ロータ（24）へ送られる。回転ロータ（24）では、吸着材が第２空気により加熱されて再生される。吸着材から脱離した水分を付与された第２空気、即ち加湿された第２空気は、三方弁（28）を通過し、給気ダクト（40）を通って室内へ送られる。
【００８０】
《発明の実施形態３》
本発明の実施形態３について説明する。本実施形態は、上記実施形態１の調湿システムの構成を変更したものである。ここでは、本実施形態について、上記実施形態１と異なる点を説明する。
【００８１】
図６に示すように、本実施形態におけるコジェネレーション装置（10）の貯湯タンク（15）には、排熱回収回路（16）が設けられている。また、本実施形態における調湿装置（20）には、第２通路（22）における回転ロータ（24）の下流側に、排熱回収熱交換器（30）が設けられている。この排熱回収熱交換器（30）と貯湯タンク（15）とは、排熱回収回路（16）によって接続されている。そして、排熱回収回路（16）では、貯湯タンク（15）と排熱回収熱交換器（30）の間で水が循環する。また、排熱回収熱交換器（30）は、室外へ排出される第２空気の温熱を回収するために、第２通路（22）を流れる第２空気と排熱回収回路（16）を流れる水とを熱交換させる。
【００８２】
−運転動作−
上記調湿装置（20）の運転動作について説明する。
【００８３】
先ず、上記調湿装置（20）の除湿動作について、図７を参照しながら説明する。尚、図７は、この装置における除湿動作を空気線図上に表したものである。
【００８４】
除湿動作を行う際には、三方弁（28）が第１のポートが第２のポートに連通する状態（図６に実線で示す状態）に切り換わる。この状態では、第１通路（21）が三方弁（28）を介して給気ダクト（40）に連通する。
【００８５】
調湿装置（20）の第１通路（21）へは、点Ａの状態の室外空気（OA）が第１空気として送り込まれる。点Ａの状態の第１空気は、回転ロータ（24）へ送られる。回転ロータ（24）では、第１空気に含まれる水分が吸着材に吸着される。これによって、第１空気は等エンタルピ線に沿って変化し、その絶対湿度が低下し且つ温度が上昇して点Ｂの状態となる。点Ｂの状態の第１空気は、顕熱交換器（29）へ送られる。顕熱交換器（29）では、第１空気が第２空気に対して放熱し、その温度が低下して点Ｃの状態となる。点Ｃの状態の第１空気は、三方弁（28）を通過し、供給空気（SA）として給気ダクト（40）から室内へ供給される。
【００８６】
調湿装置（20）の第２通路（22）へは、点Ａの状態の室外空気（OA）が第２空気として送り込まれる。点Ａの状態の第２空気は、顕熱交換器（29）へ送られる。顕熱交換器（29）では、第２空気が第１空気から吸熱し、その温度が上昇して点Ｄの状態となる。点Ｄの状態の第２空気は、加熱器（25）へ送られる。第２の室外空気は、加熱器（25）を通過する間に、排ガス管（13）から供給された排ガスとの熱交換により加熱され、その温度が上昇して点Ｅの状態となる。
【００８７】
点Ｅの状態の第２空気は、回転ロータ（24）へ送られる。回転ロータ（24）では、第２空気が吸着材と接触する。この第２空気との接触によって、回転ロータ（24）の吸着材から水分が脱離し、吸着材の再生が行われる。そして、第２空気は、等エンタルピ線に沿って変化し、その絶対湿度が上昇し且つ温度が低下して点Ｆの状態となる。点Ｆの状態の第２空気は、排熱回収熱交換器（30）へ送られる。排熱回収熱交換器（30）では、第２空気と排熱回収回路（16）を流れる水との間で熱交換が行われる。そして、第２空気は、その温度が低下して飽和状態となり、更には第２空気中の水蒸気が凝縮することによって点Ｇの状態となる。点Ｇの状態の第２空気は、排出空気（EA）として室外へ排出される。
【００８８】
次に、調湿装置（20）の加湿動作について説明する。この加湿動作では、三方弁（28）が第１のポートが第３のポートに連通する状態（図６に破線で示す状態）に切り換わる。この状態では、第２通路（22）が三方弁（28）を介して給気ダクト（40）に連通する。第２通路（22）を流れる第２空気は、その全てが三方弁（28）から給気ダクト（40）へと流れ、排熱回収熱交換器（30）へは流れない。
【００８９】
加湿動作中には、除湿動作中と同様に、調湿部（23）で第１空気の除湿と第２空気の加湿とが行われる。つまり、第１通路（21）を流れる第１空気は、回転ロータ（24）を通過する際に除湿される。回転ロータ（24）に水分を奪われた第１空気は、室外へ排出される。一方、第２通路（22）を流れる第２空気は、加熱器（25）で加熱された後に回転ロータ（24）へ送られる。回転ロータ（24）では、吸着材が第２空気により加熱されて再生される。吸着材から脱離した水分を付与された第２空気、即ち加湿された第２空気は、三方弁（28）を通過し、給気ダクト（40）を通って室内へ送られる。
【００９０】
《発明の実施形態４》
本発明の実施形態４について説明する。本実施形態は、上記実施形態１の調湿システムと空調装置（50）とを組み合わせたものである。ここでは、本実施形態について、上記実施形態１と異なる点を説明する。
【００９１】
本実施形態は、除湿及び加湿を行う調湿装置（20）と、コジェネレーション装置（10）と、空調装置（50）とにより構成されている。そして、本実施形態の調湿システムは、室内の温度調節及び湿度調節の両方を行う空調システムに構成されている。
【００９２】
図８に示すように、上記空調装置（50）は、室外機（51）及び室内機（52）を備えている。室外機（51）は、調湿装置（20）と一体化した調湿ユニット（60）として屋外に設置されている。調湿装置（20）の給気ダクト（40）は、室内に接続されている。また、室内機（52）には、図外の室内熱交換器が収納されている。室内熱交換器は、ガス側と液側の連絡配管を介して室外機（51）と接続されており、これによって冷媒の循環する冷媒回路が構成されている。尚、連絡配管の図示は省略する。そして、室内熱交換器は、室内空気を冷媒回路の冷媒と熱交換させる。
【００９３】
上記空調システムでは、調湿装置（20）の除湿動作と空調装置（50）の冷房運転とが同時に行われる。調湿装置（20）で除湿された第１空気は、給気ダクト（40）を通って室内へ送り込まれる。空調装置（50）では、冷媒回路を冷媒が循環して冷凍サイクル動作が行われ、室内熱交換器が蒸発器として機能する。室内機（52）では、室内空気が室内熱交換器を通過する間に冷却される。
【００９４】
このように、本実施形態では、空調装置（50）が室内空気を冷却する一方で、調湿装置（20）が室内の除湿を行っている。このため、空調装置（50）は、室内の顕熱負荷だけを処理すればよいこととなり、室内熱交換器での冷媒蒸発温度を比較的高めに設定することができる。従って、本実施形態では、空調装置（50）の消費電力を削減することができる。
【００９５】
また、上記空調システムでは、調湿装置（20）の加湿動作と空調装置（50）の暖房運転とが同時に行われる。調湿装置（20）で加湿された第２空気は、給気ダクト（40）を通って室内へ送り込まれる。空調装置（50）では、冷媒回路を冷媒が循環してヒートポンプサイクル動作が行われ、室内熱交換器が凝縮器として機能する。室内機（52）では、室内空気が室内熱交換器を通過する間に加熱される。
【００９６】
《発明のその他の実施形態》
上記の各実施形態において、加熱器（25）で第２空気を加熱するための熱源は、コジェネレーション装置（10）で得られた温熱に限定されない。加熱器（25）で第２空気を加熱するための熱源としては、例えば電気ヒータ等を用いてもよい。
【産業上の利用可能性】
【００９７】
以上説明したように、本発明は、室内の除湿又は加湿を行う調湿システムについて有用である。
【図面の簡単な説明】
【００９８】
【図１】実施形態１における調湿システムの全体構成図である。
【図２】実施形態１における調湿システムの概略構成図である。
【図３】実施形態１における調湿装置の加湿動作を示す空気線図である。
【図４】実施形態２における調湿システムの概略構成図である。
【図５】実施形態２における調湿装置の除湿動作を示す空気線図である。
【図６】実施形態３における調湿システムの概略構成図である。
【図７】実施形態３における調湿装置の除湿動作を示す空気線図である。
【図８】実施形態４における調湿システムの全体構成図である。
【符号の説明】
【００９９】
（10）  コジェネレーション装置
（12）  固体電解質型燃料電池
（20）  調湿装置
（23）  調湿部
（24）  回転ロータ
（25）  加熱部（加熱器）
（26）  調節手段（制御装置）
（28）  切換機構（三方弁）
（29）  熱交換部（顕熱交換器）
（40）  給気ダクト
【図１】
2005003349.tif 000003
【図２】
2005003349.tif 000004
【図３】
2005003349.tif 000005
【図４】
2005003349.tif 000006
【図５】
2005003349.tif 000007
【図６】
2005003349.tif 000008
【図７】
2005003349.tif 000009
【図８】
2005003349.tif 000010